(57)【要約】本発明は、測定された患者パラメータに基づいて測定情報を発生するセンサと、該測定情報のローカル出力を遠隔領域から上記センサのローカル領域に入る送信機からローカルに無線で送信され、自動的に検出される制御信号に従って管理するプロセッサとを提供する。上記制御信号はユーザの識別情報を含む一方、上記送信機は遠隔領域から上記センサのローカル領域へ入るユーザと共に移動し、かくして、上記プロセッサは上記測定情報のローカルな出力をユーザの記憶された好みに従って管理することができる。該プロセッサは、患者パラメータの測定をユーザの好みに従って制御することもできる。
2004536652.tif 000002
【特許請求の範囲】
【請求項１】
測定される患者パラメータに基づいて測定情報を発生するセンサと、
前記測定情報のローカル出力を、遠隔領域から前記センサのローカル領域に入る送信機からローカルに無線で送信され、自動的に検出される制御信号に従って管理するプロセッサと、
を有してなる装置。
【請求項２】
請求項１に記載の装置において、前記送信機が前記遠隔領域から前記ローカル領域に入るユーザと共に移動することを特徴とする装置。
【請求項３】
請求項２に記載の装置において、該装置が前記ユーザの好みを記憶する記憶ユニットを更に有し、前記制御信号は前記ユーザの識別情報を含み、前記プロセッサは前記測定情報の前記ローカル出力を、前記制御信号からの前記ユーザの識別に基づいて該ユーザの好みに従い管理することを特徴とする装置。
【請求項４】
請求項２に記載の装置において、前記制御信号は前記ユーザの好みを含み、前記プロセッサは前記測定情報の前記ローカル出力を該ユーザの好みに従って管理することを特徴とする装置。
【請求項５】
請求項３に記載の装置において、前記プロセッサは当該装置と繋がるローカル表示ユニット、ローカル音響ユニット及びローカルレコーダに対する前記測定情報のローカル出力を管理し、前記ローカル表示ユニットは前記測定情報をローカルに表示し、前記ローカル音響ユニットは前記測定情報に基づいてローカルに警報を報知すると共に可聴情報を提供し、前記ローカルレコーダは前記測定情報をローカルに印刷することを特徴とする装置。
【請求項６】
請求項１に記載の装置において、前記プロセッサは、更に、前記制御信号に従い前記測定情報を使用して診断情報を発生すると共に前記測定情報を記録することを特徴とする装置。
【請求項７】
請求項３に記載の装置において、前記プロセッサは、更に、前記ユーザの好みに従い前記測定情報を使用して診断情報を発生すると共に前記測定情報を記録することを特徴とする装置。
【請求項８】
請求項１に記載の装置において、前記プロセッサは、更に、前記制御信号に従い前記センサを制御して前記患者のパラメータを監視することを特徴とする装置。
【請求項９】
請求項３に記載の装置において、前記プロセッサは、更に、前記ユーザの好みに従い前記センサを制御して前記患者のパラメータを監視することを特徴とする装置。
【請求項１０】
請求項１に記載の装置において、前記ローカル領域が室又は前記センサから所定の短い距離であることを特徴とする装置。
【請求項１１】
測定される患者パラメータに基づいて測定値を発生するセンサと、
制御信号を発生すると共に、遠隔領域から前記センサのローカル領域に入る送信機と、
前記測定値のローカル出力を、前記送信機が前記センサのローカル領域に入る際に自動的に検出される前記制御信号に従って管理するプロセッサと、
を有してなるシステム。
【請求項１２】
請求項１１に記載のシステムにおいて、前記送信機が前記遠隔領域から前記ローカル領域に入るユーザと共に移動することを特徴とするシステム。
【請求項１３】
請求項１２に記載のシステムにおいて、該システムが前記ユーザの好みを記憶する記憶ユニットを更に有し、前記制御信号は前記ユーザの識別情報を含み、前記プロセッサは前記測定値の前記ローカル出力を、前記制御信号からの前記ユーザの識別に基づいて該ユーザの好みに従い管理することを特徴とするシステム。
【請求項１４】
請求項１２に記載のシステムにおいて、前記制御信号は前記ユーザの好みを含み、前記プロセッサは前記測定値の前記ローカル出力を該ユーザの好みに従って管理することを特徴とするシステム。
【請求項１５】
請求項１１に記載のシステムにおいて、前記プロセッサは、更に、前記制御信号に従い前記測定値を使用して診断情報を発生すると共に前記測定値を記録することを特徴とするシステム。
【請求項１６】
請求項１３に記載のシステムにおいて、前記プロセッサは、更に、前記ユーザの好みに従い前記測定情報を使用して診断情報を発生すると共に前記測定値を記録することを特徴とするシステム。
【請求項１７】
請求項１１に記載のシステムにおいて、前記プロセッサは、更に、前記制御信号に従い前記センサを制御して前記患者のパラメータを監視することを特徴とするシステム。
【請求項１８】
請求項１３に記載のシステムにおいて、前記プロセッサは、更に、前記ユーザの好みに従い前記センサを制御して前記患者のパラメータを監視することを特徴とするシステム。
【請求項１９】
センサにより測定される患者パラメータに基づいて測定値を発生するステップと、
前記センサのローカル領域に入る送信機からローカルに無線で送信される制御信号を自動的に検出するステップと、
前記測定値のローカル出力を、前記制御信号に従って管理するステップと、
を有してなる方法。
【請求項２０】
請求項１９に記載の方法において、前記送信機が前記遠隔領域から前記ローカル領域へ入るユーザと共に移動することを特徴とする方法。
【請求項２１】
患者モニタのローカル領域に入る場合に該患者モニタにより自動的に検出される制御信号を無線で自動的に送信するプロセッサを有する送信機であって、前記患者モニタが該患者モニタにより測定される患者パラメータのローカル出力を前記制御信号に従って管理するような送信機。
【請求項２２】
請求項２１に記載の送信機において、該送信機が遠隔領域から前記ローカル領域に入るユーザと共に移動することを特徴とする送信機。
【請求項２３】
請求項２２に記載の送信機において、該送信機がユーザの好みを記憶する記憶ユニットを更に有し、前記制御信号は前記ユーザの前記好みを含むことを特徴とする送信機。
【請求項２４】
装置において、
ネットワークを介して患者モニタへ／から情報を送信／受信する通信インターフェースであって、前記情報が前記患者モニタによる患者パラメータの監視からの測定値を含むような通信インターフェースと、
前記通信インターフェースにより受信される前記測定値のローカル出力を、遠隔領域から当該装置のローカル領域に入る送信機からローカルに無線で送信され、自動的に検出される制御信号に従って管理するプロセッサと、
を有してなる装置。
【請求項２５】
請求項２４に記載の装置において、前記送信機が前記遠隔領域から前記ローカル領域に入るユーザと共に移動することを特徴とする装置。
【請求項２６】
請求項２５に記載の装置において、該装置が前記ユーザの好みを記憶する記憶ユニットを更に有し、前記制御信号は前記ユーザの識別情報を含み、前記プロセッサは前記測定値の前記ローカル出力を、前記制御信号からの前記ユーザの識別に基づいて該ユーザの好みに従い管理することを特徴とする装置。
【請求項２７】
請求項２４に記載の装置において、前記プロセッサは前記制御信号に従って前記患者モニタを更に制御することを特徴とする装置。
【請求項２８】
請求項２６に記載の装置において、前記プロセッサは前記ユーザの好みに従って前記患者モニタを更に制御することを特徴とする装置。
【請求項２９】
ネットワークを介して患者モニタへ／から情報を送信／受信する通信インターフェースであって、前記情報が前記患者モニタによる患者パラメータの監視からの測定情報を含むような通信インターフェースと、
制御信号を送信すると共に、遠隔領域から前記通信インターフェースのローカル領域に入る送信機と、
前記通信インターフェースにより受信される測定情報のローカル出力を、前記送信機が前記通信インターフェースのローカル領域に入る際に自動的に検出される前記制御信号に従って管理するプロセッサと、
を有してなるシステム。
【発明の詳細な説明】
【０００１】
【発明の属する技術分野】
本発明は、ユーザの好みに従って監視装置を自動的且つローカルに制御する方法に関する。本発明は、特に、臨床スタッフが居る場合に臨床スタッフの好みに従って患者モニタを無線でローカルに制御する方法に関する。
【０００２】
【従来の技術】
典型的な患者モニタは、患者に接続されたセンサを用いて患者パラメータを測定することにより測定情報を発生する。このようなパラメータは、例えば、心臓血管パラメータ及び温度等を含むことができる。典型的なモニタは、ローカル（患者モニタのセンサの近く、ベッド／患者脇、室内）な出力インターフェースを含んでいる。該ローカル出力インターフェースは、例えば、測定値（例えば、グラフ的な又は波形の提示）を視覚的に提示する表示ユニット、上記測定値を印刷フォーマットで提示するレコーダ、及び警報を発するか又は上記測定を可聴的に提供する音響ユニットを含む。従って、典型的なモニタは、発生された測定値をユーザ（例えば、看護士及び医師）により看取し、聴取し及び解析するために上記ローカル出力インターフェースへ出力することができる。
【０００３】
典型的なモニタは、また、ローカル入力インターフェースを含んでいる。該ローカル入力インターフェースは、例えば、手で情報を入力するキーパッドを含んでいる。また、典型的なモニタは、ソフトウェアを実行して測定値を発生するプロセッサ、及び該測定値を使用して傾向提示、記録保管、報告及び診断等の種々の他の処理機能を実行するプロセッサも含んでいる。
【０００４】
患者監視環境は、例えば、集中制御されたベッド脇患者モニタ及び単独ベッド脇患者モニタを含む。典型的なシステム環境においては、これらモニタは患者の病室に配置される。上記の集中制御されたベッド脇モニタの場合は、モニタは測定値及び他の情報を中央コンピュータ（即ち、遠隔コントローラ又は遠隔患者モニタ出力インターフェース）のような他の装置に伝達するための通信インターフェースを含んでいる。例えば、中央コンピュータは、当該モニタの通信インターフェースを介し、ネットワーク（有線又は無線）を介して各モニタに接続することができる。該中央コンピュータは、例えば、病院内のナースステーションに配置することができる。典型的な中央コンピュータは、ローカル（コンピュータ脇、室内）出力インターフェースを含んでいる。
【０００５】
患者モニタは典型的には次のように制御される。即ち、ナースステーションにおける人員（例えば、看護士）は各モニタを制御するために上記中央コンピュータにおいて手でコマンドを入力することができる。更に、コマンドは、モニタを制御するために該モニタのローカル入力インターフェースを介して手で入力することもできる。モニタ制御機能は、例えば、監視及びローカル測定出力構成（コンフィギュレーション）を設定及び調整するために、及び測定値の当該モニタの通信インターフェースを介しての中央コンピュータへの送信を制御するために手で入力されるコマンドを含むことができる。例えば、モニタのローカルな測定出力コンフィギュレーションは、音及び表示のローカル出力をオフすることによりスリープモードに設定することができる。
【０００６】
【発明が解決しようとする課題】
しかしながら、中央コンピュータ入力インターフェースを用いて集中的に、又は患者モニタのローカル入力インターフェースを使用してローカルに患者モニタを手により制御することは、次のような不利な点を有している。即ち、担当者はローカル測定出力コンフィギュレーション及び監視コンフィギュレーションを設定及び調整するのを忘れる可能性がある。例えば、測定値のローカルな、室内の、患者脇の又は中央コンピュータ脇での出力は医師及び看護士等の訓練された人員には有効ではあるが、斯様な情報は患者及び全ての人員（場合により）にとり有効でも又は必要でもない。更に、ローカルな表示及び警報の報知は、訓練されたスタッフが患者の病室に居ない場合又は患者にとり不必要であるのみならず、患者、家族又は該患者を訪問する友人にとり時には大きな心配を生じさせかねない。更に、ローカルな、室内の、患者脇の又は中央コンピュータ脇の特定の情報の表示は或る看護スタッフによっては有効且つ好まれる、同じ情報が全ての看護スタッフ又は医師スタッフによっても有効且つ好まれるとは限らず、その結果、各人員による手での制御を必要とする。従って、ローカルな測定出力コンフィギュレーション及び監視コンフィギュレーションを自動的にローカルに（例えば、室内、患者脇又は中央コンピュータ脇で）設定及び調整することへの要望がある。
【０００７】
【課題を解決するための手段】
本発明は、患者のパラメータを監視すると共に該監視に基づいて測定値（情報）を発生するセンサと、該測定値を出力するローカル出力インターフェースと、ローカルな送信機からの情報信号を無線で検出する検出器と、上記ローカル出力インターフェースに対する上記測定値の出力を上記の検出された情報に基づいて管理するプロセッサとを有するような患者モニタにより達成される。従って、本発明は室内に、該室内に臨床スタッフが居る場合、臨床スタッフが該室に近付く／入る際に、又は臨床スタッフが当該ベッド際モニタのローカル領域（即ち、所定の短い距離／範囲内）に入る場合に、上記患者パラメータに基づく測定値のローカルな出力を管理（起動、停止、調整等）するようなベッド脇（患者脇）患者モニタを配置することができる。
【０００８】
更に詳細には、本発明は、測定された患者パラメータに基づいて測定情報を発生するセンサと、上記測定情報のローカルな出力を、遠隔領域から上記センサのローカル領域に入る送信機からローカルに且つ無線で送信され、自動的に検出される制御信号に基づいて管理するプロセッサとを有する装置を提供する。上記制御信号はユーザの識別情報を含み、上記送信機は遠隔領域から上記ローカル領域に入るユーザと共に移動する。
【０００９】
更に、本発明は、ネットワーク（有線又は無線）を介して患者モニタへ／から情報を送信／受信する通信インターフェースであって、該情報が当該患者モニタによる患者パラメータの監視からの測定値及び遠隔コントローラから当該患者モニタを制御するコマンドを含むような通信インターフェースと、受診された測定値を出力するローカル出力インターフェースと、ローカル送信機から送信された情報信号を無線で検出する検出器と、上記ローカル出力インターフェースに対する上記の受診された測定値の出力を上記の検出された情報に基づいて管理するプロセッサとを有するような患者モニタ遠隔コントローラ（即ち、中央コンピュータ又は遠隔患者モニタ出力インターフェース）により達成される。従って、本発明は、上記遠隔コントローラにより制御される患者モニタから該遠隔コントローラにより受信された患者パラメータ測定値のローカルな出力を、臨床スタッフが当該遠隔コントローラのローカル領域（即ち、所定の短い距離／範囲内）へ入る場合に自動的に管理（起動、停止、調整等）するような患者モニタ遠隔コントローラを提供することができる。
【００１０】
更に詳細には、本発明は、ネットワークを介して患者モニタへ／から情報を送信／受信する通信インターフェースであって、上記情報が上記患者モニタによる患者パラメータの監視からの測定値を含むような通信インターフェースと、該受信された測定値のローカルな出力を遠隔領域から当該装置のローカル領域へ入る送信機からローカルに無線で送信され自動的に検出される制御信号に基づいて管理するプロセッサとを有するような装置を提供する。上記制御信号はユーザの識別情報を含み、上記送信機は遠隔領域から上記ローカル領域に入る該ユーザと共に移動する。
【００１１】
更に、本発明は、上記患者パラメータ測定情報のローカル出力をユーザの好みに従って自動的に管理する患者モニタにより達成される。該患者モニタは、該装置と繋がるローカル表示ユニット、ローカル音響ユニット及びローカルレコーダへの上記測定値のローカル出力を管理し、上記ローカル表示ユニットは上記測定値を種々のフォーマット（例えば、グラフィック、波形フォーマット）で表示し、上記ローカル音響ユニットは上記測定値に基づいてローカルに警報を発すると共に音響情報を提供し、上記ローカルレコーダは上記測定値をローカルに印刷する。
【００１２】
更に、本発明は、当該遠隔コントローラにより制御される患者モニタから受信される測定値のローカル出力を、ユーザの好みに従って自動的に管理する患者モニタ遠隔コントローラにより達成することもできる。
【００１３】
更に、本発明は、患者のパラメータを監視するセンサをユーザの好みに従って自動的に制御する患者モニタによっても達成することができる。
【００１４】
更に、本発明は、当該遠隔コントローラにより制御されて患者のパラメータを監視する患者モニタのセンサを、ユーザの好みに従って自動的に制御する患者モニタ遠隔コントローラにより達成することもできる。
【００１５】
更に、本発明は、患者のパラメータを監視し、該監視に基づいて測定情報を発生し、該測定情報をローカルに出力し、ローカル送信機からの情報信号を無線で検出し、該検出された情報に基づいて上記出力を管理するような方法により達成される。従って、本発明は、センサにより測定される患者パラメータに基づいて測定値を発生し、当該センサのローカル領域に入る送信機からのローカル且つ無線的に送信された制御信号を自動的に検出し、上記測定値のローカル出力を該制御信号に基づいて管理する。上記制御信号はユーザの識別情報を含み、上記送信機は遠隔領域から上記ローカル領域に入るユーザと共に移動する。
【００１６】
更に、本発明は、患者モニタから所定の距離内の場合に該患者モニタと無線的に繋がる送信機であって、上記患者モニタは当該送信機が上記患者モニタのローカル領域に入る場合に該送信機からの情報信号を自動的に無線で検出する検出器を含み、上記ローカルな送信機はユーザの識別を含む上記情報信号を上記検出器に送信するプロセッサを有し、上記患者モニタは該患者モニタによる患者パラメータの監視からの測定値のローカルな出力をユーザの好みに従って管理するような送信機により達成される。従って、本発明は、送信ユニットと、該送信ユニットを介して制御信号を無線的に自動的に送信し、当該送信機が患者モニタのローカル領域に入る場合に該制御信号を該患者モニタにより自動的に検出するプロセッサとを有するような送信機を提供する。上記患者モニタは、該患者モニタにより測定される患者パラメータに基づく測定値のローカル出力を、該患者モニタにより検出される制御信号に基づいて管理する。上記制御信号はユーザの識別又はユーザの好みを含み、上記送信機は遠隔領域から上記ローカル領域に入るユーザと共に移動する。該送信機は、更に、ユーザの識別情報及びユーザの好みを記憶する記憶ユニットを有する。
【００１７】
更に、本発明は、制御信号を送信する送信機を有すると共に、測定される患者パラメータに基づいて測定値を発生するセンサと、遠隔領域からローカル領域へ入る上記送信機からローカル且つ無線で送信され自動的に検出される上記制御信号に従って上記測定値のローカル出力を管理するプロセッサとを備える装置を有するようなシステムにより達成することができる。更に詳細には、本発明は、測定される患者パラメータに基づいて測定値を発生するセンサと、制御信号を送信すると共に遠隔領域から上記センサのローカル領域に入る送信機と、該送信機が上記センサのローカル領域に入ると自動的に検出される上記制御信号に従って上記測定値のローカル出力を管理するプロセッサとを提供する。上記送信機は遠隔領域から上記ローカル領域に入るユーザと共に移動する。
【００１８】
本発明の利点は、添付図面に関連してなされる好ましい実施例の以下の詳細な説明から明らかとなり且つ一層容易に理解されるであろう。
【００１９】
【発明の実施の形態】
以下、例が添付図面に示される本発明の現在の好ましい実施例を詳細に参照するが、これら図面において同様の符号は全体を通して同様の構成要素を示している。以下、これら実施例を、本発明を説明するために図面を参照して記載する。
【００２０】
図１は、本発明による患者監視システムのブロック図である。図１を参照すると、装置１００ａ〜１００ｎはネットワーク１０４を介して中央コンピュータ（患者モニタ遠隔コントローラ）１０２と通信する患者モニタである。ネットワーク１０４は、従来のトポロジ及び従来のアーキテクチャを有する有線又は無線のものとすることができる。ネットワーク１０４のアーキテクチャは、例えば、従来の通信プロトコルを使用するクライアント−サーバとすることができる。また、ネットワーク１０４は、例えば、ローカルエリアネットワーク又はインターネットのような広域ネットワークとすることができる。中央コンピュータ１０２は、情報を記憶し、表示し及び処理すると共に、従来の技術を用いネットワーク１０４を介して情報を受信及び送信することにより患者モニタ１００ａ〜１００ｎと通信することが可能な通常のコンピュータ又は計算装置であり得る。
【００２１】
患者モニタ１００はセンサインターフェース（ユニット）１０６を有し、患者に接続された該センサインターフェースにより測定される患者パラメータに基づいて測定情報を監視及び発生する。該センサインターフェースはトランスジューサ及び他の感知装置のようなセンサを設け、該センサにより測定される患者のパラメータに基づいて測定情報を監視及び発生する。患者パラメータは、例えば、心臓血管パラメータ及び温度等とすることができる。プロセッサ１２０は、センサインターフェース１０６と通信すると共に、該インターフェース１０６を制御し且つ該センサインターフェース１０６により発生された測定情報を管理するようにソフトウェアを実行する。
【００２２】
メモリ、ハードドライブ又は着脱可能な媒体（例えば、ＣＤ−Ｒ、ＣＤ−ＲＯＭ、ＣＤ−ＲＷ、ＤＶＤ−ＲＯＭ及びＤＶＤ−ＲＡＭ等）用のドライブ等の情報を記憶する記憶装置１１０及び１１２が、通常の技術により各患者モニタ１００ａ〜１００ｎに接続されて、患者モニタ１００用のローカル記憶部を提供することができる。各患者モニタ１００ａ〜１００ｎはローカル出力インターフェース１１４を含んでいる。該ローカル出力インターフェース１１４は、ローカルな情報出力用のローカル出力装置とのインターフェースを提供する。ローカル出力インターフェース１１４は、例えば、ローカル表示ユニット（図示略）、ローカルオーディオユニット（図示略）、ローカルレコーダ（プリンタ）（図示略）及び他のローカル装置と通信するための入力／出力ユニットを含むことができる。キーボード（図示略）等のローカル入力インターフェースが、当該患者モニタ１００用のコマンド入力を提供することができる。
【００２３】
各患者モニタ１００ａ〜１００ｎは、更に、検出器１１６を含んでいる。検出器１１６は、該検出器１１６から所定の距離内に送信機１１８が来た場合に該送信機１１８からローカルに送信される制御／情報信号を自動的に検出するために無線技術１２２を使用する。送信機１１８が遠隔領域からセンサ１０６のローカル領域に入ると、検出器１１６は送信機１１８により送信される無線制御信号を自動的に検出する。上記ローカル領域は、システム及びアプリケーション設計仕様により、例えば当該患者が監視されている室として、又はセンサインターフェース１０６（ベッド脇患者モニタ１００）から例えば２０フィート半径等の所定の短い距離として定義することができる。また、該ローカル領域は、ブルートゥース無線技術仕様による１０ｍのように、使用される特定の無線技術１２２の適用可能な通信距離仕様により又は斯かる仕様内で定義することもできる。好ましくは当該検出システムは限られた範囲内で動作し、例えば室外等の他の送信機１１８から送信される信号が滅多に検出されないようにする。検出器１１６及び送信機１１８は、赤外線技術（例えばＩｒＤＡ規格）及び電波技術等の無線技術１２２（検出システム）を使用することができる。電波技術は、例えば、無線ネットワーキング（例えば、ＩＥＥＥ８０２．１１Ｂ規格）、ローカル電波周波数（ＲＦ）（例えば、ブルートゥース及びホームＲＦ規格）及び超広帯域電波（ＵＷＢ）等を含むことができる。
【００２４】
赤外線（ＩＲ）の視線的通信能力よりも電波周波数の一層良好な全方向的通信能力故に、検出器１１６及び送信機１１８は、好ましくは無線電波周波数技術を使用するようにする。例えば、ＩＲ信号は、送信機１１８と共に移動するユーザが検出器１１６に対して背を向ける、又は送信機１１８が例えば衣服により覆われるような場合に失われかねない。更に、検出器１１６及び送信機１１８は、好ましくは、２．４ＧＨｚ、即ち工業、科学、医療（ＩＳＭ）帯域で動作する無線電波周波数を使用するようにする。更に、無線技術１２２は、好ましくは、ＩＳＭ帯域で動作する他の装置との干渉を制限するようにする。更に、検出器１１６及び送信機１１８は、好ましくは、他の電子機器／装置と（あるとしても）最小の電磁波干渉しか生じないものとする。更に、無線技術１２２は、好ましくは、送信機１１８が検出器１１６の指定された距離範囲内に入った場合に、自動的リンク処理（即ち、通信確立）をサポートするようにする。
【００２５】
好ましい実施例においては、検出器１１６及び送信機１１８は市場で入手可能なブルートゥース無線技術を利用するようにする。何故なら、この技術はＩＳＭ帯域において動作する他の装置との干渉を制限すると共に、他の電子装置と最小の電磁波干渉しか生じないことが分かっているからである。ブルートゥース無線技術は、低出力（１ミリワット）であり、短距離（１０メートル）であり、２．４ＧＨｚのＩＳＭ帯域で動作することができ、且つ、移動体装置間での自動的リンク処理をサポートしている。
【００２６】
各患者モニタ１００ａ〜１００ｎは、通常の技術を用いネットワーク１０４を介して中央コンピュータ１０２と通信するネットワークインターフェース１０８を含むことができる。ネットワークインターフェース１０８、ローカル出力インターフェース１１４、記憶装置１１０及び１１２、並びに検出器１１６は、患者モニタと一体にするか、又は患者モニタ１００に対してローカルに外部とされると共に通常の技術を用いて患者モニタ１００と通信するようにすることができる。プロセッサ１２０は、患者モニタ１００と一体にされるか又は患者モニタ１００の外部に配置される１以上の処理ユニットとすることができる。外部の場合、プロセッサ１２０はローカルなものとし、通常のインターフェース及び技術を用いて患者モニタ１００と通信する。既存の患者モニタのソフトウェアを修正して、本発明の処理を組み込むことができる。他の例として、患者モニタ及びローカルな外部検出器１１６と通信するローカルな外部処理ユニット１２０が、本発明の処理を実施するソフトウェアを実行するようにして、既存の患者モニタのソフトウェアの修正を不要にすることもできる。
【００２７】
プロセッサ１２０は、通常の技術を用いて、ネットワークインターフェース１０８、記憶装置１１０及び１１２、ローカル出力インターフェース１１４並びに検出器１１６と通信すると共に、これら各部をソフトウェアを実行して制御する。結果として、患者モニタ１００ａ〜１００ｎは、当該患者モニタの直近領域（典型的には病室）において医師又は看護士等の臨床スタッフの存在を自動的に検出し、斯かる臨床スタッフの役目に一致した“個性”を呈する。また、患者モニタ１００は、臨床スタッフが居ない場合に、特別に設定されたデフォルトコンフィギュレーションを設けることにより適切な“個性”を呈することもできる。
【００２８】
送信機１１８は、検出器１１６による自動検出のために情報信号を無線で送信する送信ユニット１２４を含んでいる。前述したように、送信ユニット１２４はＲＦ及びＩＲ無線技術１２２を使用することができる。一実施例においては、送信機１１８は、本発明により当該送信機１１８を制御するソフトウェアを実行するようなプロセッサ１２６を含むことができる。また、送信機１１８は記憶ユニット１２８を含むこともできる。記憶装置１２８は、ユーザ識別情報及びユーザの好み等のユーザ情報を記憶する通常のメモリとすることができる。該送信機１１８は、電池のような電力用の通常の技術を使用することができる。
【００２９】
図２は、本発明の好ましい実施例における処理のフローチャートである。本発明の実施例による処理は、これら処理を実行するために患者モニタ１００ａ〜１００ｎ及び送信機１１８を制御するソフトウェアとして実施化することができる。図２を参照すると、１３０において、患者モニタ１００のセンサ１０６は該センサ１０６により測定された患者パラメータに基づいて測定値を発生する。１３２において、ユーザが患者モニタ１００のローカル領域に居ない場合は、患者モニタ１００は所定の出力好み（出力コンフィギュレーション）に従って上記測定値を当該患者モニタのローカル出力インターフェース１１４にローカルに出力する。例えば、当該患者モニタのローカル領域には臨床スタッフが存在しないから、プリセットされたコンフィギュレーションが、ローカルな表示及び警告の警報が保留され、暗くされ若しくは低下されるようにするか、又は当該患者モニタが電力節約モードにされるようにする。臨床スタッフが居ない場合、測定値を理解する人が居ないのであるから、患者パラメータの測定値を出力させる理由が殆どない。訓練されているスタッフが室内に居ない場合に斯かる測定値を表示及び報知することは、必要でないばかりか、当該患者、家族又は該患者を訪問している友人に対して過度の心配を生じさせかねない。必要がない場合に表示を暗くし／空白化し、且つ、警報及び他の音を抑圧するようなモニタは、患者が良く眠り及び休息するのを可能にする。
【００３０】
１３４において、患者モニタ１００の検出器１１６は、送信機１１８からローカルに無線で送信される制御信号を連続してチェックする。検出器１１６は、遠隔領域から当該患者モニタのローカル領域に入ってくる送信機１１８からローカルに無線で送信される制御信号を自動的に検出する。送信機１１８は、例えば、臨床スタッフと共に移動する（即ち、装着される）ことができる。１３６において、患者モニタ１００は受信された制御信号を処理する。１４０において、患者モニタ１００は、自動的に検出された上記制御信号に従って前記測定値のローカルな出力を管理する。患者モニタ１００は、記憶ユニット１１０内に、測定出力好み等の臨床スタッフのユーザ好みを記憶することができる。上記制御信号が当該臨床スタッフの識別情報を含んでいる場合は、１３６において、患者モニタ１００は該臨床スタッフを識別し、記憶ユニット１１０に記憶された該臨床スタッフの好みにアクセスする。１４０において、患者モニタ１００は該臨床スタッフの記憶された好みに従って、前記測定値のローカル出力を管理する。また、送信機１１８が測定出力好みのような臨床スタッフの好みを記憶ユニット１２８内に記憶することもできる。送信機１１８が該臨床スタッフの好みを記憶している場合は、送信機１１８は、患者モニタ１００による処理のために、該好みを制御信号として送信する。
【００３１】
従って、ユーザと共に移動する上記送信機が当該患者モニタのローカル領域に入ると、患者モニタ１００による自動的検出のために、送信機１１８は制御信号を無線で自動的に送信する。該制御信号を検出すると、患者モニタは該患者モニタにより測定された患者パラメータに基づく測定値のローカル出力を該制御信号に従って管理する。該制御信号がユーザの識別情報を含んでいる場合は、患者モニタ１００は当該ユーザを識別し、該ユーザの好みを記憶ユニット１１０から読み取り、上記測定値の出力を該ユーザの好みに従って管理する。上記制御信号が送信機１１８の記憶ユニット１２８から読み取られたユーザの好みを含んでいる場合は、患者モニタ１００は上記測定値の出力を該ユーザの好みに従って管理する。
【００３２】
他の実施例においては、１３６において（点線参照）、患者モニタ１００は、当該患者のパラメータを１３４において自動的に検出された制御信号及びユーザの好みに従って監視するようにセンサインターフェース１０６を制御することができる。他の実施例においては、１３６において、１３４で自動的に検出された制御信号及びユーザの好みに従って、診断情報を発生すると共に測定情報を管理記録する。
【００３３】
送信機１１８が患者モニタ１００のローカル領域を離れた場合は、検出器１１６は１３４において如何なるローカルに無線で送信される制御信号も検出しないであろう。１３４において制御信号が検出されない場合、当該モニタのコンフィギュレーションは１３２においてデフォルトな設定にリセットされる。該デフォルト設定は、休止状態であり得る。該“休止状態”へ進む前に、検出器１１６により何の信号も受信されないような遅延期間を設けることができる。
【００３４】
他の実施例において、患者モニタ１００を制御するソフトウェアは、上記制御信号を処理し、如何なるモニタ条件をも変更する前の所定時間内に送信機１１８からの“有効な”制御信号を１３４において検出するように構成される。これは、送信機１１８を携行し、本発明の患者モニタを備える室を通過する臨床スタッフが、モニタ条件の変更を即座に又は不注意に起動することが無いようにする状況において助けとなる。
【００３５】
他の実施例においては、患者モニタ１００を制御するソフトウェアは、個人又はユーザのグループに対応するような異なる信号を検出する。この場合、患者モニタ１００は異なる測定出力コンフィギュレーション組を使用し、当該モニタにローカルな臨床スタッフの役目に一致した個性を与えることができる。例えば、看護スタッフは特定の患者パラメータの表示の好みを有するであろう一方、心臓学医師はパラメータの表示の別の好みを有するであろう。夜勤の看護士は、異なるバッジＩＤ又はバッジＩＤとローカル時間との組合せにより起動されるような、日勤とは異なる振る舞いを所望する場合がある。
【００３６】
他の実施例において、患者モニタ１００を制御するソフトウェアは、検出器１１６が２以上の送信機１１８から制御信号を受信した場合に、適用可能な設計仕様に従い競合を許容／解決する。例えば、該ソフトウェアは、どちらの受信された制御信号が優先権をとるかを決定し、該優先権を有する制御信号に従って測定情報のローカル出力を管理することにより競合を解決することができる。
【００３７】
本発明の利点は次の通りである。即ち、本発明は、パラメータ測定値の出力及びどのパラメータを測定すべきか等の患者モニタのコンフィギュレーションを自動的に変更して、患者の病室又は患者のローカル領域における臨床的状況の必要性に整合させる。臨床スタッフは、自身の仕事に最良に適したモニタの“個性”即ちコンフィギュレーションを得る。更に、例えばローカルな警報、印刷及び表示を保留することにより、患者及び家族の心配を低減することができる。更に、関係はあるが馴れていない患者及び訪問者からの、臨床スタッフに対する“ナースコール”の割り込みを低減することができる。更に、夜間又は測定値出力を利用する人が居ない場合にモニタを暗くし／電力節約をすることは、エネルギ節約を可能にする。勿論、集中制御された患者監視環境の場合は、患者の監視及び各患者パラメータ測定値の出力は、中央コンピュータ１０２（即ち、ナース中央ステーション）において遠隔的に通常の所要又はデフォルトのコンフィギュレーションに維持することができる。単独の患者監視環境の場合は、患者モニタのローカル領域内に臨床スタッフが居ない場合に調整された測定出力コンフィギュレーションのみにより、通常の所要又はデフォルトのコンフィギュレーションに維持することができる。
【００３８】
図３は、本発明により使用される患者監視システムのブロック図である。装置２００は、患者（図示略）に接続されたセンサにより測定される患者パラメータに基づく測定値を出力し、測定出力は遠隔領域から当該装置のローカル領域２０２へ入る送信機１１８からローカルに無線で送信され、自動的に検出される制御信号に従って管理される。送信機１１８及び装置２００は無線技術１２２を使用する。送信機１１８は遠隔領域から当該ローカル領域に入るユーザ２０４と共に移動する。装置２００は患者（図示略）に接続された上記センサと繋がっている。
【００３９】
図４は、本発明が実施化される患者モニタ１００の概念図である。このような患者モニタは、本発明の譲受人であるカリフォルニア州、パロアルトのＡｇｉｌｅｎｔ Ｔｅｃｈｎｏｌｏｇｉｅｓ Ｉｎｃ．からＡ１及びＡ３ＴＭ小型患者モニタなる商標で入手可能である。
【００４０】
図５は、本発明による患者モニタ遠隔コントローラ（即ち、患者監視環境又はナースステーションにおける中央コンピュータ）のブロック図である。本発明の他の好ましい実施例において、遠隔コントローラ１０２は、ネットワーク１０４を介して患者モニタ１００ａ〜１００ｎと通信するネットワークインターフェース２０８と、ローカル出力インターフェース２１４とを有している。ローカル出力インターフェース２１４は、ローカル情報出力用のローカル出力装置とのインターフェースを提供する。ローカル出力インターフェース２１４は、例えば、ローカル表示ユニット（図示略）、ローカルオーディオユニット（図示略）、ローカルレコーダ（プリンタ）（図示略）及び他のローカル装置と通信するための入力／出力ユニットを含むことができる。キーボード等のローカル入力インターフェース（図示略）は、遠隔コントローラ１０２用の手によるコマンド入力を提供することができる。
【００４１】
プロセッサ２２０は、ネットワーク１０４を介して患者モニタ１００ａ〜１００ｎへ／から情報を送信／受信するネットワークインターフェース２０８と通信すると共に、該インターフェースを制御するソフトウェアを実行する。遠隔コントローラ１０２と患者モニタ１００との間で伝送される情報は、患者モニタ１００による患者パラメータの監視からの測定情報、及び患者モニタ１００を制御するために遠隔コントローラ１０２において入力されるコマンドを含む。従って、遠隔コントローラ１０２は、患者モニタ１００を遠隔的に制御し、当該遠隔コントローラによりネットワークインターフェース２０８を介して上記患者モニタから受信される患者のパラメータ測定のローカルな出力を管理するために使用することができる。
【００４２】
情報を記憶する、メモリ、ハードドライブ、又は着脱可能な媒体（例えば、ＣＤ−Ｒ、ＣＤ−ＲＯＭ、ＣＤ−ＲＷ、ＤＶＤ−ＲＯＭ及びＤＶＤ−ＲＡＭ）用のドライブ等の記憶装置２１０及び２１２を、通常の技術により遠隔コントローラ１０２に接続して、ローカル記憶部を設けることができる。
【００４３】
遠隔コントローラ１０２は、患者モニタ１００（図１）に関連して前述したような検出器１１６を更に含んでいる。検出器１１６は、該検出器１１６から所定の距離内に送信機１１８が来た場合に該送信機１１８からローカルに送信される制御／情報信号を自動的に検出するために無線技術１２２を使用する。送信機１１８が遠隔領域から遠隔コントローラ１０２のローカル領域に入ると、検出器１１６は送信機１１８により送信される無線制御信号を自動的に検出する。遠隔コントローラ１０２は患者モニタ１００から受信される測定情報のローカル出力を上記の自動的に検出された制御信号に従って管理することができ、該制御信号はユーザ識別情報及びユーザの出力の好みを含むことができる。
【００４４】
ネットワークインターフェース２０８、記憶装置２１０及び２１２、並びに検出器１１６は、遠隔コントローラ１０２と一体にするか、又は遠隔コントローラ１０２に対してローカルに外部とされると共に通常の技術を用いて該遠隔コントローラ１０２と通信するようにすることができる。既存の遠隔コントローラ１０２のソフトウェアを修正して、本発明の処理を組み込むことができる。他の例として、遠隔コントローラ１０２及びローカルな外部検出器１１６と通信するローカルな外部処理ユニット２２０が、本発明の処理を実施するソフトウェアを実行するようにして、既存の遠隔コントローラ１０２のソフトウェアの修正を不要にすることもできる。
【００４５】
プロセッサ２２０は、通常の技術を用いて、ネットワークインターフェース２０８、記憶装置２１０及び２１２、ローカル出力インターフェース２１４並びに検出器１１６と通信すると共に、これら各部を制御するためにソフトウェアを実行する。結果として、遠隔コントローラ１０２は、当該遠隔コントローラの直近領域（典型的にはナースステーション）において医師又は看護士等の臨床スタッフの存在を自動的に検出し、斯かる臨床スタッフの役目に一致した“個性”を呈することができる。また、遠隔コントローラ１０２は、臨床スタッフが近くに居ない場合に、特別に設定されたデフォルトコンフィギュレーションを設けることにより適切な“個性”を呈することもできる。
【００４６】
遠隔コントローラ１０２は、遠隔の患者モニタ１００から受信された測定値のローカル出力を、遠隔領域から遠隔コントローラ１０２のローカル領域に入る送信機１１８からローカルに無線で送信され、自動的に検出される制御信号に従って管理する。送信機１１８は、遠隔領域から当該ローカル領域に入るユーザと共に移動する。また、看護士の中央ステーション１０２は、上記の自動的に検出される制御信号に従って遠隔の患者モニタ１００を制御することもできる。当該制御信号は、例えば、ユーザの識別情報及びユーザの好みを含む。遠隔コントローラ１０２の動作は、図２に示し上述した本発明による患者モニタ１００の動作と同一とすることができる。
【００４７】
典型的には、看護士の中央ステーション１０２は、患者脇に誰もいない場合、又はベッド脇患者モニタのローカル出力がスリープ状態である場合であっても、常に複数の患者に関して同時に患者パラメータの測定値を表示すると共に警告を報知する。従って、本発明によれば、例えば、該看護士の中央ステーション１０２の検出器１１６は当該ナースステーションのローカル領域に入る特定の看護士／医師の存在を検出することができ、該ナースステーションのローカル出力を、例えば検出された臨床スタッフの患者のような特定の組の監視されている患者に関する多くの情報を提供するように調整することができる。
【００４８】
本発明は、当該センサにより測定された患者パラメータに基づいて測定値を発生するセンサと、制御信号を送信すると共に遠隔領域から上記センサのローカル領域に入る送信機と、該送信機が上記センサのローカル領域に入ると自動的に検出される上記制御信号に従って前記測定値のローカル出力を管理するプロセッサとを設ける。上記送信機は遠隔領域からローカル領域へ入るユーザと共に移動する。本発明はユーザの好みを記憶する記憶ユニットを更に設ける。上記プロセッサは、上記測定値を該ユーザの好みに従って管理することができ、上記センサを該ユーザの好みに従って制御することができ、上記測定値に基づく診断を該ユーザの好みに従って発生することができる。
【００４９】
また、本発明は、ネットワークを介して患者モニタへ／から情報を送信／受信する通信インターフェースであって、上記情報が上記患者モニタによる患者パラメータの監視からの測定情報を含むような通信インターフェースと、制御信号を送信すると共に遠隔領域から上記通信インターフェースのローカル領域へ入る送信機と、上記通信インターフェースにより受信される上記測定情報のローカル出力を、上記送信機が上記通信インターフェースのローカル領域に入ると自動的に検出される上記制御信号に従って管理するプロセッサとを設ける。
【００５０】
本発明は、ソフトウェアを実行することにより知性を提供するコントローラ（プロセッサ）、及び無線技術１２２を使用して前記送信機が検出器１１６のローカル領域に入る場合に送信機１１８からローカルに送信される制御／情報信号を自動的に検出する検出器１１６の特定の配置に限定されるものではない。例えば、（１）上記コントローラ及び検出器はベッド脇の患者モニタ１００内に組み込むことができ；（２）上記コントローラをベッド脇患者モニタ１００に組み込む一方、上記検出器は別体とするがベッド脇患者モニタ１００に直接配線接続することができ；（３）上記コントローラ及び検出器は、ネットワークを介してベッド脇患者モニタ１００を制御するようなネットワーク接続を備える別体の装置を形成することができ；（４）上記コントローラ及び検出器はナースステーション１０２に組み込んで、検出された信号を処理すると共に該ナースステーションのローカル出力を制御することができ；（５）上記コントローラ及び検出器は別体の装置を形成するがナースステーション１０２に直接配線接続されて、検出された信号を処理すると共に該ナースステーションのローカル出力を制御することができる。
【００５１】
以上、本発明の幾つかの実施例を図示及び説明したが、当業者にとっては、これら実施例に対して、請求項及び斯かる請求項の均等物により範囲が規定される本発明の原理及び趣旨から逸脱すること無しに、種々の変更を実施することができることが理解されるであろう。
【図面の簡単な説明】
【図１】図１は、本発明による患者監視システムのブロック図である。
【図２】図２は、本発明の好ましい実施例における処理のフローチャートである。
【図３】図３は、本発明により使用される患者監視システムのブロック図である。
【図４】図４は、例示的な患者モニタの概念図である。
【図５】図５は、本発明による患者モニタ遠隔コントローラのブロック図である。
【図１】
2004536652.tif 000003
【図２】
2004536652.tif 000004
【図３】
2004536652.tif 000005
【図５】
2004536652.tif 000006
【国際公開パンフレット】
2004536652.tif 000007
2004536652.tif 000008
2004536652.tif 000009
2004536652.tif 000010
2004536652.tif 000011
2004536652.tif 000012
2004536652.tif 000013
2004536652.tif 000014
2004536652.tif 000015
2004536652.tif 000016
2004536652.tif 000017
2004536652.tif 000018
2004536652.tif 000019
2004536652.tif 000020
2004536652.tif 000021
2004536652.tif 000022
2004536652.tif 000023
2004536652.tif 000024
2004536652.tif 000025
2004536652.tif 000026
2004536652.tif 000027
2004536652.tif 000028
2004536652.tif 000029
2004536652.tif 000030
2004536652.tif 000031
【国際調査報告】
2004536652.tif 000032
2004536652.tif 000033
2004536652.tif 000034
2004536652.tif 000035